(57)【要約】【課題】上下シェルハーフが周壁において溶接されて形成された、内蔵する記録媒体に対するアクセス用開口を備えたハウジングと、このハウジングのアクセス用開口を開閉すべくハウジングに移動可能に取りつけられた、互いに周壁において嵌合された上下シャッターハーフからなるシャッタとを有する記録媒体カートリッジにおいて、上下シャッターハーフの移動方向に関する係合構造を不要にして、シャッタの強度および精度を向上させる。【解決手段】上下シェルハーフ３，４の溶接と同時またはその前後における一連の溶接作業時に、上下シャッターハーフ７Ｕ，７Ｄを少なくとも１箇所Ｗ０で溶接する。【選択図】        図２
2006164367.tif 000002
【特許請求の範囲】
【請求項１】
上下シェルハーフが周壁において溶接されて形成された、内蔵する記録媒体に対するアクセス用開口を備えたハウジングと、該ハウジングの前記アクセス用開口を開閉すべく前記ハウジングに移動可能に取りつけられた、互いに周壁において嵌合された上下シャッターハーフからなるシャッタとを有する記録媒体カートリッジにおいて、
前記上下シャッターハーフが、少なくとも１箇所で溶接されていることを特徴とする記録媒体カートリッジ。
【請求項２】
前記上下シャッターハーフの溶接が、前記上下シェルハーフの溶接と同時またはその前後における一連の溶接作業時に行なわれることを特徴とする請求項１記載の記録媒体カートリッジ。
【請求項３】
前記上下シャッターハーフの溶接が、前記シャッタの閉位置においては前記上下シェルハーフの内部に隠れるシャッターハーフ部分に対して行なわれることを特徴とする請求項１または２記載の記録媒体カートリッジ。
【発明の詳細な説明】
【技術分野】
【０００１】
本発明は、上下シェルハーフが周壁において溶接されて形成された、内蔵する記録媒体に対するアクセス用開口を備えたハウジングと、このハウジングのアクセス用開口を開閉すべくハウジングに移動可能に取りつけられた、互いに周壁において嵌合された上下シャッターハーフからなるシャッタとを有する記録媒体カートリッジに関するものである。
【背景技術】
【０００２】
従来より、デジタルカメラ等のモバイル機器においては、記録媒体として、「ｃｌｉｋ！（登録商標）」と呼ばれる超小型の記録媒体カートリッジが使用されている（特許文献１参照）。
【０００３】
この記録媒体カートリッジ１は、図５（斜視図）および図６（ａ），（ｂ）（平面図および底面図）に示すように、ドライブ装置に押込み装填するときに指を当てる押込み部２ａを含む、スタビライザと呼ばれる樹脂製のフレーム２と、このフレーム２に嵌合された金属薄板(厚さ０．３ｍｍのステンレス鋼板)からなる平坦な主面を備えた上シェルハーフ３および下シェルハーフ４とによって構成された、幅５０ｍｍ、奥行き５５ｍｍ、厚さ１．９５ｍｍの扁平なハウジング内に、４０ＭＢの記憶容量を有する直径１．８インチ（４５．７ｍｍ）のディスク状の磁気記録媒体５を回転自在に収容している。磁気記録媒体５の中央部には、中心孔１０ａを備えたセンターハブ（センターコア）１０が固着されている。
【０００４】
この記録媒体カートリッジ１は、幅５３ｍｍ、奥行き８５ｍｍ、厚さ５ｍｍの外寸を有するＴＹＰＥII  ＰＣカード型のドライブ装置（図略）が備えているスロットに挿入形式でローディングされるように構成され、そのハウジングには、上記ドライブ装置が備えている記録再生用磁気ヘッドを磁気記録媒体５の表面にアクセスさせるためのＶ字状の開口６が形成され、さらに、ハウジングと磁気記録媒体５との間には、上記開口６を回転式に開閉するための、開口７ａを備えたロータリーシャッタ７が介装されている。このロータリーシャッタ７は、図９（ｂ）を参照して後述するようなコイルスプリング１６によって閉方向に付勢され、かつ上シェルハーフ３に取り付けられている図示しないロック部材により閉位置にロックされるように構成されている。
【０００５】
なお、図５および図６（ａ），（ｂ）は、ロータリーシャッタ７の開口７ａがハウジング内に隠れて、ロータリーシャッタ７がハウジングの開口６を閉じている状態、すなわち閉位置にある状態を示している。
【０００６】
ロータリーシャッタ７は、図６（ａ）の７−７線に沿った要部の拡大断面図である図７に示すように、周壁部７Ｕｂ、７Ｄｂにおいて互いに嵌合されたアルミニウム薄板製の上下シャッターハーフ７Ｕ，７Ｄからなり、上シャッターハーフ７Ｕは、上シェルハーフ３の下面から内方へ突出する小径の円筒体３ａによって回転可能に軸支され、円筒体３ａの先端には、上シャッターハーフ７Ｕが円筒体３ａからの抜出すのを防止するためのセンタピンと呼ばれる抜止め部材１１が溶接されて、センターハブ１０の中心孔１０ａ内に介入している。上下シャッターハーフ７Ｕ，７Ｄの内面には、磁気記録媒体５の表面を清掃するための、表面が起毛された不織布からなるライナ１３がそれぞれ貼り付けられている。
【０００７】
下シェルハーフ４の中央部には、センターハブ１０を外部に臨ませる円形の開口４ａが形成され、下シャッターハーフ７Ｄの中心部には、下シェルハーフ４の開口４ａの周縁に遊嵌される大径の円筒体７Ｄａが下方へ向かって突設されて、この円筒体７Ｄａによって下シャッターハーフ７Ｄが下シェルハーフ４に回転可能に支持されているとともに、円筒体７Ｄａの先端部がカシメられて、下シャッターハーフ７Ｄが下シェルハーフ４からの抜け出すのを防止するフランジ１２が形成されている。
【０００８】
さらに下シェルハーフ４には、図６（ｂ）から明らかなように、ロータリーシャッタ７と同心的な円弧状開口４ｂが形成され、下シャッターハーフ７Ｄには、上記円弧状開口４ｂから突出しかつこの円弧状開口４ｂに沿って移動してロータリーシャッタ７を開閉するシャッターノブ７ｂが固設されている。そして、ドライブ装置に対する記録媒体カートリッジ１のローディング動作（押込み動作）に伴って、ロック部材によるロータリーシャッタ７の閉位置でのロックが解除されて、ロータリーシャッタ７が回動可能になるとともに、ドライブ装置が備えている係合壁面がシャッターノブ７ｂに係合して、ロータリーシャッタ７がその開口７ａを上下シェルハーフ３，４の開口６にほぼ一致させる開位置まで約６０度回転されることにより、図８（ａ），（ｂ）（平面図および底面図）に示すように、磁気記録媒体５がハウジングの開口６から露出された状態でドライブ装置に装填される。
【０００９】
なお、図７においては、センターハブ１０の重みによって磁気記録媒体５が下シャッターハーフ７Ｄ４側のライナ１３上に接触しているが、この記録媒体カートリッジ１がドライブ装置に装填されると、ドライブ装置が備えているドライブスピンドルがセンターハブ１０に磁気的、機械的にチャッキングしてセンターハブ１０を持上げるため、磁気記録媒体５は上下のライナ１３，１３の表面間の間隙のほぼ中間位置に回転可能に保持される。
【００１０】
また、ドライブ装置に装填された記録媒体カートリッジ１は、これをさらにドライブ装置側に押すことにより、ドライブ装置との係合が外れてドライブ装置からの排出が可能になり、記録媒体カートリッジ１の排出に伴って、コイルスプリング１６によってロータリーシャッタ７が図６（ａ），（ｂ）に示す閉位置に復帰するように構成されている。
【００１１】
上下シェルハーフ３，４は、図７の右端に示すように、双方の周壁３ｓ、４ｓのエッジ同士を互いに突き当て、この突当て線に沿った図６（ａ）に示す１３箇所の溶接箇所Ｗ１〜Ｗ１３におけるレーザービームを用いたスポット溶接により組み立てられる。このスポット溶接部は、図７においては符号Ｗで示されている。
【００１２】
図９（ａ）はフレームの拡大平面図、図９（ｂ）は、ロータリーシャッタ７を閉方向に付勢するコイルスプリングがフレームと下シャッターハーフ７Ｄとの間に装着された状態を示す拡大平面図である。
【００１３】
コイルスプリング１６にはガイドワイヤ１５が挿通され、ガイドワイヤ１５の両端は、フレーム２に形成された係止部２ｂ，２ｃの溝Ｇ，Ｇ内に圧入係止されている。ガイドワイヤ１５の両端には、これら両端を潰すことによって溝Ｇからの抜出しを防止する膨大部１５ａ，１５ｂが形成されているが、これら膨大部１５ａ，１５ｂは、コイルスプリング１６内へのガイドワイヤ１５の挿通が許容される大きさを有する。
【００１４】
下シャッターハーフ７Ｄには、その周壁７Ｄｂの一部に、上シャッターハーフ７Ｕに対する係合片１７が半径方向外方へ突出するように一体に形成されている。係合片１７の先端に円筒状のスプリング係止部１８が形成され、スプリング係止部１８には、このスプリング係止部１８がガイドワイヤ１５に沿って摺動可能なようにガイドワイヤ１５が挿通されている。そして、コイルスプリング１６は、フレーム２の一方の係止部２ｂに形成された係止壁２ｄと上記スプリング係止部１８との間に縮装されて、下シャッターハーフ７Ｄを閉方向に付勢している。また、フレーム２の他方の係止部２ｃは、スプリング係止部１８を当接させて、下シャッターハーフ７Ｄを閉位置に保持する係止壁２ｅを備えている。
【００１５】
一方、上シャッターハーフ７Ｕは、図７に示すように、その周壁７Ｕｂが下シャッターハーフ７Ｄの周壁７Ｄｂに嵌合しているとともに、図１０に示すように、下シャッターハーフ７Ｄの係合片１７に係合する切欠き１９を備えて、下シャッターハーフ７Ｄと共回りするように構成されている。
【特許文献１】米国特許第６,１３３,５４４号明細書
【発明の開示】
【発明が解決しようとする課題】
【００１６】
ところで、上述した従来の記録媒体カートリッジ１においては、下シャッターハーフ７Ｄが備えている、スプリング係止部１８と一体になった係合片１７と、上シャッターハーフ７Ｕの周壁７Ｕｂに形成された切欠き１９との係合によって、上シャッターハーフ７Ｕが下シャッターハーフ７Ｄと共回りするように構成されているため、これがシャッタの強度および精度を低下させ、さらに周壁７Ｕｂ，７Ｄｂにおいて単に嵌合しているだけの上下シャッターハーフ７Ｕ，７Ｄが相互間で上下方向の位置ずれを起こす等の問題もあった。
【００１７】
上述の事情に鑑み、本発明が解決しようとする課題は、上下シャッターハーフの移動方向に関する係合構造を不要にして、シャッタの強度および精度を向上させ、かつ上下方向の位置ずれを防止することにある。
【課題を解決するための手段】
【００１８】
本発明は、上下シェルハーフが周壁において溶接されて形成された、内蔵する記録媒体に対するアクセス用開口を備えたハウジングと、このハウジングの上記アクセス用開口を開閉すべくハウジングに移動可能に取りつけられた、互いに周壁において嵌合された上下シャッターハーフからなるシャッタとを有する記録媒体カートリッジにおいて、上記上下シャッターハーフが、少なくとも１箇所で溶接されていることを特徴とするものである。
【００１９】
上記上下シャッターハーフの溶接は、上下シェルハーフの溶接と同時またはその前後における一連の溶接作業時に行なわれることが好ましい。
【００２０】
さらに、上記上下シャッターハーフの溶接が、シャッタの閉位置において上下シェルハーフの内部に隠れるシャッターハーフ部分に対して行なわれることが好ましい。
【発明の効果】
【００２１】
本発明によれば、上下シャッターハーフが、少なくとも１箇所で溶接されていることにより、上下シャッターハーフの移動方向に関する係合構造が不要になり、シャッタの強度および精度を向上させることができるのみでなく、上下シャッターハーフが上下方向の位置ずれを生じる恐れも解消され、さらにハウジングの内部スペースにも余裕ができるという効果がある。
【００２２】
また、上下シャッターハーフの溶接が、上下シェルハーフの溶接と同時またはその前後における一連の溶接作業時に行なわれることにより、殆どコストアップを伴わずに上下シャッターハーフの溶接を行なうことができる。
【００２３】
さらに、上下シャッターハーフの溶接が、シャッタの閉位置において上下シェルハーフの内部に隠れるシャッターハーフ部分に対して行なわれることにより、上下シャッターハーフの溶接に伴う見栄えの低下も回避することができる。
【発明を実施するための最良の形態】
【００２４】
以下、本発明の実施の形態について、図面を参照して詳細に説明する。
【００２５】
図１（ａ），（ｂ）は本発明による記録媒体カートリッジを示す平面図および底面図、図２はその要部の拡大断面図である。図１（ａ），（ｂ）および図２に示す記録媒体カートリッジは、上下シャッターハーフ７Ｕ，７Ｄの周壁７Ｕｂ，７Ｄｂの嵌合部が、回転方向に関する係合構造を備えておらず、その代わりに少なくとも１箇所Ｗ０において互いに溶接されていることを除いては、図６（ａ），（ｂ）および図７で説明した記録媒体カートリッジとほぼ同一の構成を有するので、同一部材には同一符号を付して重複する説明は省略する。
【００２６】
上下シャッターハーフ７Ｕ，７Ｄの周壁７Ｕｂ，７Ｄｂの溶接箇所Ｗ０は、ロータリーシャッタ７が閉位置にある状態でハウジングの開口６から露出している部分に設定すると、溶接は容易であるが、スポット溶接跡により見栄えが低下する恐れがある。そこで、本実施の形態では、図１（ａ），（ｂ）に示すように、溶接箇所Ｗ０を、ロータリーシャッタ７が閉位置にある状態ではハウジング内に隠れる位置に設定している。
【００２７】
上下シェルハーフ３，４の周壁３ｓ，４ｓの突当て部における図６（ａ）に示すような１３箇所の溶接箇所Ｗ１〜Ｗ１３に対するレーザービームを用いたスポット溶接に際しては、図３に示すように、ロッド保持部材５０に取り付けられた１３本の押さえロッド４０を用いて、図示しない可動台上に固定されたハウジングの上シェルハーフ３の主面周縁部における各溶接箇所Ｗ１〜Ｗ１３の近傍を上方から押圧した状態で行なわれる。
【００２８】
図３に示す各押さえロッド４０は、上シェルハーフ３の主面周縁部における各溶接箇所Ｗ１〜Ｗ１３の近傍位置に接触させる球面状の下端面４１ａを備えたロッド本体４１と、このロッド本体４１を上下に摺動可能に貫通させ、かつ外周にねじ溝を備えたロッド保持部材５０に上下調整可能に取り付けられた外筒４２と、ロッド本体４１に形成された段部４１ｂと外筒４２の下端のフランジ４２ａとの間に縮装されたコイルバネ４３と、コイルバネ４３のバネ圧を調整するために、ロッド本体４１の上端部４１ｃに螺装された調整ナット４４とから構成されている。
【００２９】
このような構成を有する１３本の押さえロッド４０がロッド保持部材５０に取り付けられていることにより、上シェルハーフ３の主面周縁部に対するロッド本体４１の下端面４１ａの相対位置および接触圧をそれぞれ個別に調整することが可能となる。
【００３０】
上下シェルハーフ３，４の周壁３ｓ，４ｓの突当て部における１３箇所の溶接箇所Ｗ１〜Ｗ１３と、上下シャッターハーフ７Ｕ，７Ｄの周壁７Ｕｂ，７Ｄｂにおける１箇所の溶接箇所Ｗ０とに対する溶接は、同時にでも順次にでも行なうことも可能ではあるが、１箇所ずつ順次行なう方が、レーザービームを射出する光学系が簡単になる点で有利である。その場合には、光学系に対して進退可能な回転台上にワークを固定して各溶接箇所に対して溶接を行なえばよい。
【００３１】
上下シャッターハーフ７Ｕ，７Ｄの周壁７Ｕｂ，７Ｄｂの溶接に際しては、必要であれば、シャッターノブ７ｂと円弧状開口４ｂとの相対位置関係を、ロータリーシャッタ７が図８（ａ），（ｂ）に示す開位置よりもさらに図８（ａ）の時計方向（図８（ｂ）の反時計方向）に所定角度（１０度程度）だけ回動可能なように予め設定しておき、周壁７Ｕｂ，７Ｄｂにおいて嵌合状態とされた上下シャッターハーフ７Ｕ，７Ｄを図６（ａ），（ｂ）に示す閉位置から図８（ａ），（ｂ）に示す開位置を超えて、図４（ａ），（ｂ）に示す位置まで回動させて、開口７ａの回動方向のリーディングエッジの近傍部分がハウジングの開口６内に臨んだ状態で、その上下シャッターハーフ７Ｕ，７Ｄの露出した部分の周壁に対して行なえばよい。このようにすれば、図１（ａ），（ｂ）に示すように、シャッタ７の閉位置においては溶接箇所Ｗ０がハウジングの内部に隠れることになり、溶接箇所Ｗ０が露出することによる見栄えの低下を回避することができる。
【００３２】
ところで、上下シェルハーフ３，４の周壁３ｓ、４ｓの突合せ部には僅かな隙間が存在するので、溶接時に溶融した金属のスパッタ等がこの隙間からハウジング内に侵入して磁気記録媒体を汚染するという問題がある。その場合、図６（ａ）に示す上下シェルハーフ３，４の１３箇所のＷ１〜Ｗ１３のうち、溶接箇所Ｗ４〜Ｗ１３は、図２および図７から明らかなように、シャッターハーフ７Ｕ，７Ｄの周壁７Ｕｂ，７Ｄｂが互いに重なり合うように嵌合しているので、溶接時に上下シェルハーフ３，４のシャッターハーフ７Ｕ，７Ｄがシールドとなって、磁気記録媒体５がスパッタ等から保護されることになる。一方、ロータリーシャッタ７が閉位置にあるときには、図６（ａ）から明らかなように、その開口７ａが溶接箇所Ｗ１〜Ｗ３と対向しているので、この状態のまま溶接箇所Ｗ１〜Ｗ３に対して溶接を行なうと、磁気記録媒体５が汚染される恐れがある。
【００３３】
したがって、ロータリーシャッタ７を図４（ａ），（ｂ）に示す位置まで回動させた状態で、上下シャッターハーフ７Ｕ，７Ｄの周壁７Ｕｂ，７Ｄｂの溶接箇所Ｗ０に対する溶接を行なうとともに、上下シェルハーフ３，４の溶接箇所Ｗ１〜Ｗ３に対する溶接を行なえば、この恐れを回避することができる。
【００３４】
なお、本実施の形態においては、上下シェルハーフ３，４がステンレス鋼板で形成され、上下シャッターハーフ７Ｕ，７Ｄがアルミニウム薄板で形成されているので、両者間で溶接条件を若干変える必要はあるが、このように、上下シェルハーフ３，４の溶接と上下シャッターハーフ７Ｕ，７Ｄとを、同一の溶接装置を用いた一連の溶接作業の中で行なうことにより、殆どコストアップを伴わずに上下シャッターハーフ７Ｕ，７Ｄの溶接を行なうことができる。
【００３５】
そして、上下シャッターハーフ７Ｕ，７Ｄが、少なくとも１箇所において溶接されていることにより、上下シャッターハーフ７Ｕ，７Ｄの移動方向に関する係合構造が不要になり、シャッタ７の強度および精度を向上させることができるのみでなく、上下シャッターハーフ７Ｕ，７Ｄが上下方向の位置ずれを生じる恐れも解消され、さらにハウジングの内部スペースにも余裕ができるという効果がある。
【００３６】
上述の実施例は、外径１．８インチ（約４６ｍｍ）の磁気記録媒体５を備えた「ｃｌｉｋ！」の場合であるが、本発明はこれに限定されるものではなく、将来開発されるであろう更に小型で高密度な１インチ（約２５ｍｍ）や０．８インチ(約２０ｍｍ)等の超小型高密度記録媒体を備えたカートリッジにも適用可能であり、記録媒体はディスクに限らず、テープ、ハードディスク、光媒体、半導体等であってもよい。
【００３７】
また、上述の実施例では、ロータリーシャッタ７がハウジングに内蔵されているが、本発明は、ロータリーシャッタあるいはスライドシャッタを外装した記録媒体カートリッジにも適用可能であることは言うまでもない。
【図面の簡単な説明】
【００３８】
【図１】図１（ａ），（ｂ）は、本発明による記録媒体カートリッジを示す平面図および底面図である。
【図２】図１の記録媒体カートリッジの要部の拡大断面図である。
【図３】上下シェルハーフの溶接時に使用される押さえロッドの正面図である。
【図４】図１（ａ），（ｂ）は、本発明の記録媒体カートリッジにおける上下シャッターハーフの溶接時の状態を示す平面図および底面図である。
【図５】本発明が適用される従来の記録媒体カートリッジの斜視図である。
【図６】図６（ａ），（ｂ）は、図５の記録媒体カートリッジの、ロータリーシャッタが閉位置にある状態を示す平面図および底面図である。
【図７】図６（ａ）の７−７線に沿った要部の拡大断面図である。
【図８】図８（ａ），（ｂ）は、図５の記録媒体カートリッジの、ロータリーシャッタが開位置にある状態を示す平面図および底面図である。
【図９】図９（ａ）は、図５の記録媒体カートリッジにおけるはフレームの拡大平面図、図９（ｂ）は、ロータリーシャッタを閉方向に付勢するコイルスプリングがフレームと下シャッターハーフとの間に装着された状態を示す拡大平面図である。
【図１０】図５の記録媒体カートリッジにおける上下シャッターハーフの係合構造を示す分解斜視図である。
【符号の説明】
【００３９】
１    記録媒体カートリッジ
３    上シェルハーフ
４    下シェルハーフ
５    磁気記録媒体
６    ハウジングの開口
７    ロータリーシャッタ
７ａ    ロータリーシャッタの開口
７ｂ    シャッターノブ
７Ｕ    上シャッターハーフ
７Ｄ    下シャッターハーフ
１０    センターハブ
４０    押さえロッド
Ｗ０，Ｗ１〜Ｗ１３    溶接箇所
【図１】
2006164367.tif 000003
【図２】
2006164367.tif 000004
【図３】
2006164367.tif 000005
【図４】
2006164367.tif 000006
【図５】
2006164367.tif 000007
【図６】
2006164367.tif 000008
【図７】
2006164367.tif 000009
【図８】
2006164367.tif 000010
【図９】
2006164367.tif 000011
【図１０】
2006164367.tif 000012